(57)【要約】【課題】ジョーを正確に把持できるハンマー装置の提供。【解決手段】ポール、鋼製形材、及び他の細長い物体を地面に打ち込むためのハンマー装置であって、ハンマー装置は、パワーツールに取り付けることが可能な本体（１）と、本体（１）に減衰クッション（９）を用いて取り付けられる振動装置（６）と、打ち込まれる物体を少なくとも側方把持部を用いて把持するために、振動装置（６）に対して適応される可動把持ジョー（１０）とを備え、把持ジョー（１０）の把持要素（２３）は、油圧シリンダ（１６）等の調整ユニットを用いて接近させること及び遠く離すことができる。動作時に把持ジョー（１０）の相互の対称性を維持するために、前記把持ジョー（１０）は、本質的に把持ジョーの回転結合部（８）の位置で堅固に取り付けられたアーム（２）、（３）を備え、アーム（２）、（３）の各端部は、隣同士に位置決めされ、把持ジョー（１０）のための回転運動の間に本質的に隣同士に留まるように案内され、アーム（２）、（３）の端部は、枢動支持部を有するショートアーム（４）を用いて相互に結合される。【選択図】図４
2015506431.tif 000002
【特許請求の範囲】
【請求項１】
ポール、鋼製形材、及び他の細長い物体を地面に打ち込むためのハンマー装置であって、前記ハンマー装置は、パワーツールに取り付けることが可能な本体（１）と、前記本体（１）に減衰クッション（９）を用いて取り付けられる振動装置（６）と、打ち込まれる物体を少なくとも側方把持部を用いて把持するために、前記振動装置（６）に対して適応される可動把持ジョー（１０）とを備え、
前記把持ジョー（１０）の把持要素（２３）は、油圧シリンダ（１６）等の調整ユニットを用いて接近させること及び遠く離すことができ、
動作時に把持ジョー（１０）の相互の対称性を維持するために、前記把持ジョー（１０）は、本質的に把持ジョーの回転結合部（８）の位置で堅固に取り付けられたアーム（２）、（３）を備え、前記アーム（２）、（３）の各端部は、隣同士に位置決めされ、把持ジョー（１０）のための回転運動の間に本質的に隣同士に留まるように案内され、前記アーム（２）、（３）の前記端部は、枢動支持部を有するショートアーム（４）を用いて相互に結合されることを特徴とするハンマー装置。
【請求項２】
前記アーム（２）、（３）の前記端部は隣同士に位置決めされ、同時に、前記アームは相互に部分的にロックした状態で位置決めされる、請求項１に記載のハンマー装置。
【請求項３】
前記アーム（２）、（３）は、位置決めされて本質的に同じレベルで回転し、前記アーム（２）、（３）の端部を結合する前記アーム（４）は短く、前記アーム（４）の各結合要素の中心間の距離（ｄ）は、前記把持ジョー（１０）の枢軸（８）の距離（Ｄ）の２０％以下である、請求項１に記載のハンマー装置。
【請求項４】
両方のアーム（２、３）は、別々に、前記アームが前記反対側の把持ジョーの前記回転結合部（８）に向けられるような開放位置を有する、請求項１に記載のハンマー装置。
【請求項５】
前記アーム（２）、（３）は、基部が回転結合部（８）の位置に関して本質的に中央で把持ジョー（１０）に取り付けられた三角形である、請求項１に記載のハンマー装置。
【発明の詳細な説明】
【技術分野】
【０００１】
本発明は、ポール、鋼製形材、及び他の細長い物体を地面に打ち込むためのハンマー装置に関し、本装置は、パワーツールに取り付けることができる本体と、減衰クッションを用いて本体に取り付けられる振動装置と、打ち込まれる物体を把持するために該振動装置に適応する少なくとも１つの側方把持部を有する可動把持ジョーとを備え、把持ジョーの把持部品は、油圧シリンダ等の調整ユニットを用いて近づけたり離間させたりすることできる。
【背景技術】
【０００２】
前記の前提部分のハンマー装置は従来から知られており、このハンマー装置において、振動装置及び他の本体は、減衰クッションを用いてハンマー装置の本体に取り付けられ、この場合、他の本体は、前記の振動装置を部分的に取り囲む。把持ジョーは、継ぎ手を用いて別の本体に堅固に又は回動可能に取り付けられる。フィンランド国特許明細書第１０６２１９号を一例として挙げることができる。
【０００３】
これらの解決策の欠点は、把持ジョーの両方のアームが回動する場合、ジョーが圧縮段階に達する際に異なる回動角をとる可能性があるので、各アームの間で加圧される部品は必ずしもジョーに対して対称的に固定されない点にある。一方のジョーが固定で他方のジョーが移動可能であるようなジョーの解決策を用いる場合、各アームの間に取り込まれた部品は常に固定ジョーに対して固定され、可動ジョーの位置は把持する部品の厚さに左右される。前述の両方の問題に起因して、少なくとも１つのジョーが、部品を対角線上に加圧する場合がある。これは、把持される部品の形状に応じて形成される把持部品をジョーで使用する場合の簡単な事例である。
【先行技術文献】
【特許文献】
【０００４】
【特許文献１】フィンランド国特許明細書第１０６２１９号
【発明の概要】
【発明が解決しようとする課題】
【０００５】
前述の問題を解決するために、新しいハンマー装置が開発されており、このハンマー装置により前述の問題を解決することができ、ジョーの正確で計画された把持が保証される。
【課題を解決するための手段】
【０００６】
本発明の特徴は、移動時に各把持ジョーの相互の対称性を維持するために、把持ジョーは、基本的に、回転継ぎ手の位置で堅固に取り付けられるアームを備える点にあり、各アームは、各端部が隣同士に位置決めされ、把持ジョーに関する回転運動の間で基本的に隣同士に留まるように案内され、更に各アームの各端部が、枢動支持部を有するショートアームを用いて相互に結合されように案内される。
【０００７】
本発明の利点は、ハンマー装置に収容されて打ち込まれる物体が、常に各ジョーに対して対称に位置決めされ、両方のジョーは同じ荷重状態になる点にある。更に、打ち込まれる物体に従って形成されたジョー部品を使用する場合、本発明により、ジョー部品と物体との間の正確な位置が保証される。
【０００８】
本発明は、以下に添付図面を参照して詳細に説明される。
【図面の簡単な説明】
【０００９】
【図１】ハンマー装置の本体を示す。
【図２】図１のハンマー装置の本体の内部に適応できる振動装置である。
【図３】本発明による、対角線上に見た振動装置であり、振動装置は、相互に結合された把持ジョーを適所に備える。
【図４】本発明による、上方から見た把持ジョーに取り付けられた装置である。
【図５】図４に関して他の位置に移動した場合の把持ジョーを示す。
【発明を実施するための形態】
【００１０】
図１には、本発明のハンマー装置の本体１が示されており、本体１の上端にはパワーツールへの取付け板２があり、例えば、結合要素４、５を用いて本体を掘削機に取り付けるためのものである。本体１には空所３があり、この空所には、減衰クッションを用いて振動装置を本体に取り付けるために、振動装置の減衰クッションの幾つかの部品が配置される。
【００１１】
本体１の内部に適応して交換が容易な図１の振動装置は、図２に示されており、振動装置では、装置の出力カテゴリが変わったとしても寸法ｓは一定である。従って、種々のハンマリング作用を希望する場合には、異なる出力カテゴリの幾つかの振動装置６をハンマー装置に適応させることができる。振動装置６の重量及び幅ｄは出力カテゴリが変わる場合に変更することができる。減衰クッション９は、構造ユニット７として振動装置６の側部に取り付けられ、この場合、これらのユニット７は、容易に開放できるように振動装置６の側部に取り付けられる。また、空所８は、このユニット７を貫通して案内されており、この空所を通って把持要素１０の取り付けに関連する継ぎ手ピン２０又は２１を適応することができる。振動装置６の下面にはジョーがあり、このジョーを用いて、ポールの上端からハンマーで打つこと又はポールを引き抜くことができる。ジョーは、固定部１７、可動部１８、及び可動部１８を動かすシリンダ１９を備える。
【００１２】
図３には、本体１の間に配置できる振動装置６が示されており、把持ジョー１０はピン２０を用いて振動装置６に取り付けられる。ピン２０は、枢軸８を形成するように延びる。把持ジョー１０は、振動装置６の上部及びその真下に配置される。上方及び下方把持ジョーは、アダプター板２２を用いて互いに結合されるので、これらは一緒に機能する。把持要素２３は、把持ジョー１０に取り付けられている。把持ジョー１０は、本発明による機構を用いて結合され、この機構は、把持ジョー１０に固定様式で取り付けられたアーム２、３を備え、更にアーム２、３の端部に関節点を備えており、アーム２、３の端部はショートアーム４を用いて結合できる。
【００１３】
図４及び５には、本発明の機構を用いて把持ジョー１０の対称動作を具現化したものが示されており、この機構では、アーム２及び３は、把持ジョー１０に固定様式で配置されており、これらのアームは、互いの方に向かっているが、把持ジョー１０の全ての対称ステージにおいて、アーム２、３の端部は隣同士に位置決めされ、アーム２、３は、相互に部分的にロックした状態で位置決めされる。アーム２、３の端部は、ショートアーム４を用いて互いに結合され、ショートアームは、継ぎ手ピンを用いてアーム２、３の端部に取り付けられる。把持ジョー１０が開閉する際に、ショートアーム４は、僅かに移動及び回転して、各把持ジョー１０を同時に対称ステージに保持する。アーム２、３は位置決めされて同じレベルで回転し、アーム２、３の端部を結合するアーム４は短く、各枢軸の距離ｄは、把持ジョー１０の枢軸８の距離Ｄの２０％以下である。
【００１４】
両アーム２、３は、独立して、アームが反対側の把持ジョー１０の回転結合部８に向けられるような開放位置を有する。また、アーム２、３は、基部が回転結合部８の位置に関して本質的に中央で把持ジョー１０に取り付けられた三角形であることが好都合である。
【符号の説明】
【００１５】
２  アーム
３  アーム
４  ショートアーム
６  振動装置
８  枢軸
１０  把持ジョー
１６  シリンダ
２３  把持要素
【図１】
2015506431.tif 000003
【図２】
2015506431.tif 000004
【図３】
2015506431.tif 000005
【図４】
2015506431.tif 000006
【図５】
2015506431.tif 000007
【国際調査報告】
2015506431.tif 000008
2015506431.tif 000009
2015506431.tif 000010